(57)【要約】【課題】凸部と目地との境界と、凸部に印刷された意匠と目地に印刷された意匠との境界とのずれが目立ち難く、優れた意匠性を有する建築板及びその印刷方法を提供する。【解決手段】建築板１は、表面２０に凸部２１とこの凸部２１に隣接する目地２２，２３とが形成された基材２を備えている。表面２０には、凸部２１用の模様及び色彩で構成された凸部用意匠３と、目地２２，２３用の模様及び色彩で構成された目地用意匠４とが印刷されている。目地用意匠４は、目地２２，２３の領域をカバーしている。凸部用意匠３は、凸部２１の領域及び目地２２，２３の領域をカバーし、目地２２，２３の領域における可視光領域の透過率が凸部２１の領域における当該透過率よりも大である。【選択図】図３
2018131819.tif 000002
【特許請求の範囲】
【請求項１】
表面に凸部とこの凸部に隣接する目地とが形成された基材を備え、
前記表面には、前記凸部用の模様及び色彩で構成された凸部用意匠と、前記目地用の模様及び色彩で構成された目地用意匠とが印刷されており、
前記目地用意匠は、前記目地の領域をカバーし、
前記凸部用意匠は、前記凸部の領域及び前記目地の領域をカバーし、前記目地の領域における可視光領域の透過率が前記凸部の領域における当該透過率よりも大であることを特徴とする建築板。
【請求項２】
請求項１に記載の建築板において、
前記目地の両側に前記凸部が形成されており、
前記凸部用意匠は、前記各凸部の領域及び前記目地の領域をカバーしていることを特徴とする建築板。
【請求項３】
請求項１又は請求項２に記載の建築板において、
前記目地の領域に印刷された前記凸部用意匠は、
前記目地の幅方向において、前記凸部側の端から離れるにつれて前記透過率が大きくなる透過率変化区間を有していることを特徴とする建築板。
【請求項４】
請求項１〜３のいずれか１項に記載の建築板において、
前記目地の領域に印刷された前記凸部用意匠は、前記透過率が３０％以上７０％以下の領域を含むことを特徴とする建築板。
【請求項５】
請求項１〜４のいずれか１項に記載の建築板において、
前記目地は、前記基材の短手方向に延びていることを特徴とする建築板。
【請求項６】
表面に凸部とこの凸部に隣接する目地とが形成された基材を備えた建築板の印刷方法であって、
前記基材の表面に、前記凸部用の模様及び色彩で構成された凸部用意匠と、前記目地用の模様及び色彩で構成された目地用意匠とを印刷する工程を備え、
前記目地用意匠は、前記目地の領域をカバーし、
前記凸部用意匠は、前記凸部の領域及び前記目地の領域をカバーし、前記目地の領域における可視光領域の透過率が前記凸部の領域における当該透過率よりも大であることを特徴とする建築板の印刷方法。
【発明の詳細な説明】
【技術分野】
【０００１】
本発明は、建築板及びその印刷方法に関する。特に、建築板の表面に凹凸が形成されているもの及びその表面に印刷する方法に関する。
【背景技術】
【０００２】
特許文献１には、外壁として用いられる建築板が開示されている。この建築板は、基材表面に凹凸が形成され、その表面には、インクジェット印刷装置により、柄模様が印刷されている。
【先行技術文献】
【特許文献】
【０００３】
【特許文献１】特開２００６−２５７６７６号公報
【発明の概要】
【発明が解決しようとする課題】
【０００４】
上記のような建築板において、表面の凸部に印刷される模様と、凸部に隣接する凹部に印刷される模様とを異ならせて意匠性を高めることがある。
【０００５】
しかし、建築板の生産時に基材の伸縮が起きると、凸部に印刷された模様と凹部に印刷された模様との境界と、凸部と凹部との境界とがずれて、建築板の意匠性が損なわれることがある。
【０００６】
本発明は、上記事情に鑑みてなされたものであり、その目的とするところは、凸部と目地との境界と、凸部に印刷された意匠と目地に印刷された意匠との境界とのずれが目立ち難く、優れた意匠性を有する建築板及びその印刷方法を提供することを目的とする。
【課題を解決するための手段】
【０００７】
前記目的を達成するために本発明に係る一態様の建築板は、表面に凸部とこの凸部に隣接する目地とが形成された基材を備え、前記表面には、前記凸部用の模様及び色彩で構成された凸部用意匠と、前記目地用の模様及び色彩で構成された目地用意匠とが印刷されており、前記目地用意匠は、前記目地の領域をカバーし、前記凸部用意匠は、前記凸部の領域及び前記目地の領域をカバーし、前記目地の領域における可視光領域の透過率が前記凸部の領域における当該透過率よりも大であることを特徴とする。
【０００８】
また、本発明に係る一態様の建築板の製造方法は、表面に凸部とこの凸部に隣接する目地とが形成された基材を備えた建築板の印刷方法であって、前記基材の表面に、前記凸部用の模様及び色彩で構成された凸部用意匠と、前記目地用の模様及び色彩で構成された目地用意匠とを印刷する工程を備え、前記目地用意匠は、前記目地の領域をカバーし、前記凸部用意匠は、前記凸部の領域及び前記目地の領域をカバーし、前記目地の領域における可視光領域の透過率が前記凸部の領域における当該透過率よりも大であることを特徴とする。
【発明の効果】
【０００９】
本発明に係る建築板及びその印刷方法にあっては、凸部と目地との境界と、凸部に印刷された意匠と目地に印刷された意匠との境界とのずれが目立ち難く、意匠性が向上する。
【図面の簡単な説明】
【００１０】
【図１】図１は、本発明に係る一実施形態の建築板の正面図である。
【図２】図２は、同上の建築板の目地部分における断面図である。
【図３】図３は、同上の建築板における第１領域の範囲と第２領域の範囲とを示した拡大正面図である。
【図４】図４は、同上の建築板の印刷に用いられる印刷データを示した図である。
【図５】図５は、同上の印刷データの生成に用いられる第１のレイヤーと第２のレイヤーとを示した図である。
【図６】図６は、変形例の第１のレイヤーの拡大図である。
【発明を実施するための形態】
【００１１】
以下、本発明の実施形態について添付図面に基づいて説明する。
【００１２】
（実施形態）
図１に示す本実施形態の建築板１は、外壁材であり、詳しくは窯業系サイディング材である。本実施形態の建築板１は、長手方向を横方向と平行にした状態で設置される横張り用の外壁材である。
【００１３】
建築板１は、基材２の表面２０に印刷を施すことで形成される。ここで、基材２の表面２０とは、建築板１を施工した状態において、基材２の屋外側を向く面である。
【００１４】
本実施形態の基材２は、セメントを主成分とする窯業系材料から形成される。基材２は、横方向に延びた矩形板状に形成されている。
【００１５】
基材２の表面２０には、複数の凸部２１が形成されている。本実施形態の基材２の表面２０には、基材２の長手方向（長さ方向）及び短手方向（幅方向）に並んだ複数の凸部２１が形成されている。
【００１６】
また、基材２の表面２０には、基材２の長手方向に隣り合う凸部２１の間に位置し、基材２の短手方向に延びた目地（縦目地）２２が、複数形成されている。
【００１７】
さらに本実施形態の基材２の表面２０には、基材２の短手方向に隣り合う凸部２１の間に形成され、基材２の長手方向に延びた目地（横目地）２３が複数形成されている。すなわち、本実施形態では、基材２の表面２０に、基材２の短手方向に延びた縦目地２２と、基材２の長手方向に延びた横目地２３とが形成されている。
【００１８】
本実施形態の各凸部２１は、基材２の長手方向に延びた矩形状であり、基材２の厚み方向と直交する表面２１０を有している。
【００１９】
本実施形態の各凸部２１は、凸部２１の幅方向と直交する断面の形状が、台形状である。また、本実施形態の各凸部２１は、凸部２１の長さ方向と直交する断面の形状が、台形状である。
【００２０】
各目地（縦目地）２２は、基材２の短手方向に延びた直線状の溝である。各目地２２は、いわゆる箱目地であって、図２に示すように、基材２の厚み方向と直交する底面２２０と、底面２２０の幅方向の両端からそれぞれ上方に向かって延びた両側の側面２２１，２２２とを有している。
【００２１】
各目地２２の両側の側面２２１，２２２の各々は、凸部２１の長手方向の側面によって構成されている。各側面２２１，２２２は、底面２２０に近づくほど目地２２の幅方向の内側に位置するように基材２の厚み方向に対して傾斜しており、これにより、目地２２の幅は底面２２０に近づくほど小さくなっている。凸部２１の表面２１０と目地２２との境界２６は、凸部２１の表面２１０における目地２２側の端辺２１３によって構成されている。
【００２２】
図１に示す各目地（横目地）２３は、基材２の長手方向に延びた直線状の溝である。各目地２３も、目地２２と同様の箱目地であって、基材２の厚み方向と直交する底面２３０と、底面２２０の幅方向の両端からそれぞれ上方に向かって延びた両側の側面２３１，２３２とを有している。
【００２３】
図３に示すように、各目地２３の両側の側面２３１，２３２の各々は、凸部２１の幅方向の側面によってそれぞれ構成されている。各側面２３１，２３２は、底面２３０に近づくほど目地２３の幅方向の内側に位置するように基材２の厚み方向に対して傾斜しており、これにより、目地２３の幅は底面２３０に近づくほど小さくなっている。凸部２１の表面２１０と目地２３との境界２７は、凸部２１の表面２１０における目地２３側の端辺２１６によって構成されている。
【００２４】
基材２の表面２０には、凸部２１用の模様及び色彩で構成された凸部用意匠３と、目地２２，２３用の模様及び色彩で構成された目地用意匠４とが印刷されている。本実施形態では、インクジェット方式により、基材２の表面２０に印刷が施されている。
【００２５】
基材２の表面２０は、図３に示すように、各凸部２１に対応する第１印刷領域２４と、各目地２２，２３に対応する第２印刷領域２５とを有している。なお、図３においては、便宜上、第１印刷領域２４に密度の大きなドットを付し、第２印刷領域２５に密度の小さなドットを付している。
【００２６】
本実施形態の第１印刷領域２４は、凸部２１の表面２１０である。本実施形態の第２印刷領域２５は、目地２２の底面２２０並びに両側面２２１，２２２、及び目地２３の底面２３０並びに両側面２３１，２３２であり、第１印刷領域２４に隣接している。
【００２７】
凸部用意匠３は、凸部２１の領域である第１印刷領域２４と、目地２２の領域である第２印刷領域２５とをカバーし、第１印刷領域２４と第２印刷領域２５とに印刷される。すなわち、本実施形態の凸部用意匠３は、基材２の表面の全体に印刷される。対して、目地用意匠４は、第１印刷領域２４と第２印刷領域２５とのうちの第２印刷領域２５のみをカバーし、第２印刷領域２５にのみ印刷される。
【００２８】
本実施形態の基材２の表面２０の印刷は、例えばインクジェットプリンターにより、図４に示す印刷データ５０を用いて行われる。なお、図４では、便宜上、目地２２，２３のうち、目地（縦目地）２２に対応する部分のみを図示しているが、目地（横目地）２３に対応する部分も有している。
【００２９】
印刷データ５０は、図５に示すように、凸部用意匠３のデータである第１のレイヤー５１と、目地用意匠４のデータである第２のレイヤー５２とを重ね合わせることによって生成される。
【００３０】
本実施形態の第１のレイヤー５１（凸部用意匠３）は、木目調の連続した一つの意匠である。
【００３１】
第１のレイヤー５１は、第１印刷領域２４（各凸部２１）と重複する第１部分５１１と、第２印刷領域２５と重複する第２部分５１２とを含んでいる。なお、図５では、便宜上、第１のレイヤー５１における目地２２，２３に対応する部分のうち、目地（縦目地）２２に対応する部分のみを図示しているが、第１のレイヤー５１は目地（横目地）２３に対応する部分も有している。
【００３２】
第２部分５１２は、第１部分５１１と同じ模様で且つ第１部分５１１よりも透過率が大きい。ここで、「透過率」とは、可視光領域の透過率を意味する。
【００３３】
第２部分５１２の透過率を、第１部分５１１の透過率よりも大きくするには、例えば、第２部分５１２の色を第１部分５１１の色よりも薄くしたり、第２部分５１２のドットを第１部分５１１のドットよりも小さくしたり、第２部分５１２のドットの密度を第１部分５１１のドットの密度よりも小さくしたりすることで行われる。
【００３４】
具体的に本実施形態の第２部分５１２の透過率は、３０％以上７０％以下の範囲内に設定されており、第２部分５１２の全体に亘って略一定である。本実施形態の第２部分５１２は、第１部分５１１と同じパターンで第１部分５１１に連続し、且つ第１部分５１１よりも色が薄い木目調の意匠である。
【００３５】
第２のレイヤー５２（目地用意匠４）は、第２印刷領域２５と重複する。第２のレイヤー５２は、第１のレイヤー５１（凸部用意匠３）とは異なるパターンの模様であって、第１部分５１１とは非連続の模様である。本実施形態の第２のレイヤー５１の模様は、目地材を模した模様である。なお、図５では、便宜上、目地（縦目地）２２に対応する部分のみを図示しているが、第２のレイヤー５１は、目地（横目地）２３に対応する部分も有している。
【００３６】
第１のレイヤー５１（凸部用意匠３）の第２部分５１２と、第２のレイヤー５２（目地用意匠４）とを重ね合わせることで、図４に示す印刷データ５０において第２印刷領域２５に対応する部分が生成される。すなわち、第２印刷領域２５には、第１のレイヤー５１の第２部分５１２と、第２のレイヤー５２とを重ね合わせた意匠が印刷される。具体的に第２印刷領域２５には、透過した木目調の模様と、目地材を模した模様とが混在した模様が、全体に亘って印刷される。
【００３７】
ところで、基材２が生産時において設定寸法に比して伸縮すると、凸部２１に印刷された意匠と目地２２，２３に印刷された意匠との境界５３と、凸部２１の表面２１０と目地２２，２３との境界２６，２７とがずれる可能性がある。
【００３８】
ここで、本実施形態では、目地２２，２３の領域である第２印刷領域２５に、目地用意匠４と、第１印刷領域２４に印刷された凸部用意匠３よりも透過率が大きい凸部用意匠３とを重ねた意匠が印刷される。このため、目地２２，２３に印刷された意匠は、建築板１を見る人に対して、凸部２１に印刷された意匠に連続したような印象を与える。従って、目地２２，２３に印刷された意匠と、凸部２１に印刷された意匠との境界５３が目立ち難くなる。
【００３９】
（変形例）
次に変形例について説明する。なお、以下の変形例の説明では、前記実施形態と共通する構成については同一の符号を付して説明を省略する。
【００４０】
図６は、本変形例における第１のレイヤー５１を示した図である。
【００４１】
本変形例の第２部分５１２は、目地２２，２３の幅方向（第２部分５１２の幅方向）に隣接した一対の透過率変化区間（グラデーション）４１０により構成されている。なお、図６では、便宜上一対の透過率変化区間４１０の間に、両者の境界を示す仮想線を図示しているが、この仮想線は実際には印刷されない。
【００４２】
各透過率変化区間４１０は、目地２２，２３の幅方向において隣接する凸部２１側（第１部分５１１側）の端から離れるにつれて透過率が徐々に大きくなるように変化している。各透過率変化区間４１０において透過率が最も大きい領域は、例えば透過率が３０％以上７０％以下の範囲内に設定される。
【００４３】
本変形例の建築板１にあっては、上記のように第２部分５１２が透過率変化区間４１０を有するため、第２印刷領域２５に印刷された意匠は、目地２２，２３の幅方向において隣接する凸部２１側（第１部分５１１側）の端から離れるにつれて、目地用意匠４が徐々に現れるような外観となる。
【００４４】
なお、一対の透過率変化区間４１０の間には、目地２２，２３の幅方向において透過率が変化しない透過率固定区間が存在してもよい。この透過率固定区間の透過率は、例えば透過率変化空間において最も大きい透過率よりも大きい値となる。
【００４５】
（補足）
なお、前述した実施形態及び変形例の建築板１及びその印刷方法は、以下に示すように適宜変更可能である。
【００４６】
例えば、凸部用意匠３は、木目調の模様に限らず、例えばブロック調の模様であってもよい。また、目地用意匠４も、目地材を模した模様以外の模様であってもよい。すなわち、凸部用意匠３と目地用意匠４との各々の模様は、凸部用意匠３と目地用意匠４とが異なる模様であればよい。
【００４７】
また、目地２２，２３の領域に印刷される凸部用意匠３の透過率は、凸部２１の領域に印刷される凸部用意匠３の透過率よりも大きければよく、３０％未満であってもよいし、７０％を超えてもよい。
【００４８】
また、目地２２，２３は、断面Ｖ字状の目地であってもよい。
【００４９】
また、建築板１は縦方向に延びて縦張り用外壁材として用いられる外壁材であってもよい。
【００５０】
また、建築板１は、例えば、金属サイディングであってもよく、材質は特に限定されない。また、建築板１は、外壁材に限られず、内壁材や仕切り板であってもよい。
【００５１】
（効果）
前記実施形態及び変形例の建築板１にあっては、以下に示す特徴を有している。建築板１は、表面２０に凸部２１とこの凸部２１に隣接する目地２２，２３とが形成された基材２を備えている。表面２０には、凸部２１用の模様及び色彩で構成された凸部用意匠３と、目地２２，２３用の模様及び色彩で構成された目地用意匠４とが印刷されている。目地用意匠４は、目地２２，２３の領域をカバーしている。凸部用意匠３は、凸部２１の領域及び目地２２，２３の領域をカバーし、目地２２，２３の領域における可視光領域の透過率が凸部２１の領域における当該透過率よりも大である。以下、この特徴を有する建築板１を第１の態様の建築板１という。
【００５２】
第１の態様の建築板１にあっては、目地２２，２３の領域に、目地用意匠４と、凸部２１の領域よりも透過率が大きい凸部用意匠３が印刷される。このため、目地２２，２３を見る人に対して、凸部用意匠３の印象を与え、目地２２，２３に印刷された意匠と、凸部２１に印刷された意匠との境界５３が目立ち難くなる。従って、凸部２１と目地２２，２３との境界２６，２７と、凸部２１に印刷された意匠と目地２２，２３に印刷された意匠との境界５３とのずれが目立ち難くなり、意匠性が向上する。また、目地２２，２３の領域には、凸部用意匠３とは異なる目地用意匠４が印刷されるので、建築板１を見る人に対して、凸部２１が与える印象と、目地２２，２３が与える印象とを違わせることができる。
【００５３】
また、前記実施形態及び変形例の建築板１にあっては、第１の態様の建築板１において以下に示す付加的な特徴を有している。目地２２，２３の両側に凸部２１が形成されている。凸部用意匠３は、各凸部２１の領域及び目地２２，２３の領域をカバーしている。以下、この建築板１を第２の態様の建築板１という。
【００５４】
第２の態様の建築板１にあっては、凸部２１と目地２２，２３との境界２６，２７と、凸部２１に印刷された意匠と目地２２，２３に印刷された意匠との境界５３とのずれが、目地２２，２３の両側において目立ち難くなり、意匠性が向上する。また、変形例の建築板１は、第１又は第２の態様の建築板１において以下に示す付加的な特徴を有している。目地２２，２３の領域に印刷された凸部用意匠３は、目地２２，２３の幅方向において、凸部２１側の端から離れるにつれて前記透過率が大きくなる透過率変化区間４１０を有している。以下、この建築板１を第３の態様の建築板１という。
【００５５】
第３の態様の建築板１にあっては、目地２２，２３の外観が、目地２２，２３の幅方向において隣接する凸部２１側の端から離れるにつれて、目地用意匠４が明瞭に現れるような外観となる。
【００５６】
また、実施形態及び変形例の建築板１は、第１〜第３の態様の建築板１において以下に示す付加的な特徴を有している。目地２２，２３の領域に印刷された凸部用意匠３は、前記透過率が３０％以上７０％以下の領域を含む。以下、この建築板１を第４の態様の建築板１という。
【００５７】
第４の態様の建築板１にあっては、印刷ずれを一層目立ち難くすることができる。
【００５８】
また、実施形態及び変形例の建築板１は、第１〜第４の態様の建築板１において以下に示す付加的な特徴を有している。目地２２は、基材２の短手方向に延びている。以下、この建築板１を第５の態様の建築板１という。
【００５９】
第５の態様の建築板１にあっては、基材２の長手方向の寸法が変化したときにおける印刷ずれを目立ち難くすることができる。
【００６０】
また、実施形態及び変形例の建築板１の印刷方法は、以下に示す特徴を有している。建築板１は、表面２０に凸部２１とこの凸部２１に隣接する目地２２，２３とが形成された基材２を備えている。建築板１の印刷方法は、基材２の表面２０に、凸部２１用の模様及び色彩で構成された凸部用意匠３と、目地２２，２３用の模様及び色彩で構成された目地用意匠４とを印刷する工程を備える。目地用意匠４は、目地２２，２３の領域をカバーする。凸部用意匠３は、凸部２１の領域及び目地２２，２３の領域をカバーする。目地２２，２３の領域における可視光領域の透過率が、凸部２１の領域における当該透過率よりも大である。以下、この特徴を有する建築板１の印刷方法を第１の態様の建築板１の印刷方法という。
【００６１】
第１の態様の建築板１の印刷方法にあっては、目地２２，２３に、目地用意匠４と、透過率が凸部２１の領域よりも大きな凸部用意匠３とが、印刷される。このため、凸部２１と目地２２，２３との境界２６，２７と、凸部２１に印刷された意匠と目地２２，２３に印刷された意匠との境界５３とのずれが目立ち難くなり、意匠性が向上する。
【符号の説明】
【００６２】
１  建築板
２  基材
２０  表面
２１  凸部
２２  目地（縦目地）
２３  目地（横目地）
３  凸部用意匠
４  目地用意匠
４１０  透過率変化区間
【図１】
2018131819.tif 000003
【図２】
2018131819.tif 000004
【図３】
2018131819.tif 000005
【図４】
2018131819.tif 000006
【図５】
2018131819.tif 000007
【図６】
2018131819.tif 000008